(57)【要約】【課題】コネクタが用いられる電線或いは基板の条件によって金属製のコンタクト同士の嵌合作業が難しくなってしまうことを抑制でき、接続作業の作業性が低下してしまうことを抑制することができるコネクタを提供する。【解決手段】金属製の第１コンタクト１１が、電線１００に接続される。金属製の第２コンタクト１２が、基板１０１に接続されるとともに第１コンタクト１１に接続される。第１コンタクト１１及び第２コンタクト１２には、一方のコンタクト１１が他方のコンタクト１２に嵌まり込んで嵌合した際に第１コンタクト１１と第２コンタクト１２とを互いに係合させる係合機構１３が設けられる。電線延長方向に対して垂直な方向と平行な方向に沿って、一方のコンタクト１１が他方のコンタクト１２に対して嵌まり込んで嵌合することで、係合機構１３により、第１コンタクト１１と第２コンタクト１２とが結合される。【選択図】        図１
2016143569.tif 000002
【特許請求の範囲】
【請求項１】
電線と基板とを電気的に接続するコネクタであって、
前記電線に接続される金属製の第１コンタクトと、
前記基板の表面に実装されて前記基板に接続されるとともに前記第１コンタクトに接続される金属製の第２コンタクトと、
を備え、
前記第１コンタクト及び前記第２コンタクトには、前記第１コンタクト及び前記第２コンタクトのうちの一方のコンタクトが、前記第１コンタクト及び前記第２コンタクトのうちの他方のコンタクトに嵌まり込んで嵌合した際に、前記第１コンタクトと前記第２コンタクトとを互いに係合させる係合機構が設けられ、
前記第１コンタクトに接続された状態の前記電線が前記第１コンタクトから延びる方向である電線延長方向に対して垂直な方向と平行な方向に沿って、前記一方のコンタクトが前記他方のコンタクトに対して嵌まり込んで嵌合することで、前記係合機構により、前記第１コンタクトと前記第２コンタクトとが結合されることを特徴とする、コネクタ。
【請求項２】
請求項１に記載のコネクタであって、
前記電線延長方向に対して垂直な方向と平行な方向であって前記基板の表面に対して垂直な方向に沿って、前記一方のコンタクトが前記他方のコンタクトに対して嵌まり込んで嵌合することで、前記係合機構により、前記第１コンタクトと前記第２コンタクトとが結合されることを特徴とする、コネクタ。
【請求項３】
請求項１又は請求項２に記載のコネクタであって、
前記係合機構は、前記一方のコンタクトに設けられた第１係合部と、前記他方のコンタクトに設けられて前記第１係合部が係合する第２係合部と、を備え、
前記第１係合部は、前記一方のコンタクトの壁部から外側に向かって出っ張るように設けられ、
前記電線延長方向に対して垂直な方向と平行な方向に沿って、前記一方のコンタクトが前記他方のコンタクトに対して嵌まり込んで嵌合することで、前記第１係合部が前記第２係合部に係合し、前記第１コンタクトと前記第２コンタクトとが結合されることを特徴とする、コネクタ。
【請求項４】
請求項３に記載のコネクタであって、
前記第１係合部は、前記第２係合部に対して、前記電線延長方向に平行な方向と、前記電線延長方向に対して垂直な方向に平行な方向と、の両方の方向において、係合することを特徴とする、コネクタ。
【請求項５】
請求項３又は請求項４に記載のコネクタであって、
前記第２係合部は、前記他方のコンタクトの壁部の一部であって前記第１係合部が係合する貫通孔が形成された第１壁部に設けられ、
前記第１係合部は、片持ち状に延びるように設けられるとともに、片持ち状に延びる先端側の部分が、前記一方のコンタクトに対して、先端側にかけて外側に向かって広がるように、設けられ、
前記第１係合部は、先端側の部分が、前記第１壁部における前記貫通孔の縁部分に対して係合することを特徴とする、コネクタ。
【請求項６】
請求項５に記載のコネクタであって、
前記他方のコンタクトの壁部には、前記一方のコンタクトに対して係合する第３係合部が設けられた第２壁部が含まれ、
前記第２壁部は、前記他方のコンタクトの壁部において、前記第１壁部とは異なる部分として設けられ、
前記第３係合部は、前記第２壁部において、前記他方のコンタクトの内側に向かって凸状に出っ張るように設けられ、
前記電線延長方向に対して垂直な方向と平行な方向に沿って、前記一方のコンタクトが前記他方のコンタクトに対して嵌まり込んで嵌合することで、前記第３係合部が前記一方のコンタクトに係合することを特徴とする、コネクタ。
【請求項７】
請求項６に記載のコネクタであって、
前記他方のコンタクトの壁部には、前記第１壁部と前記第２壁部との間において、溝が設けられていることを特徴とする、コネクタ。
【請求項８】
請求項７に記載のコネクタであって、
前記第２壁部には、前記一方のコンタクトに対して接触し、前記一方のコンタクトと前記他方のコンタクトとを電気的に接続する接点部が設けられ、
前記接点部は、前記第２壁部において、前記他方のコンタクトの外側から内側に向かって凹むように形成されるとともに前記他方のコンタクトの内側に向かって出っ張るように形成され、
前記第２壁部は、前記第３係合部が設けられている部分が撓む際に、前記接点部が設けられている部分も一体に撓むように、設けられていることを特徴とする、コネクタ。
【発明の詳細な説明】
【技術分野】
【０００１】
本発明は、基板と電線とを電気的に接続するコネクタに関する。
【背景技術】
【０００２】
従来より、基板と電線とが電気的に接続される際には、コネクタが用いられている。このようなコネクタとして、特許文献１に開示されたものが知られている。
【０００３】
特許文献１に開示されたコネクタは、電線に取り付けられる金属製の第１端子（コンタクト）と、基板に実装される金属製の第２端子（コンタクト）と、を備えて構成されている。第２端子は、筒状に形成された収容部を有し、第１端子は、収容部に挿入される挿入部を有している。そして、挿入部が収容部に挿入されることで、第１端子が第２端子に嵌合し、電線が基板に対して電気的に接続される。尚、挿入部には、爪部が設けられ、収容部には、爪部が係合する被係合部が設けられている。挿入部が収容部に挿入されたときには、挿入部の爪部が収容部の被係合部に係合する。
【０００４】
上記のコネクタにおいては、第２端子は、筒状の収容部が、基板と平行な方向に向かって開口した状態で、基板に実装される。即ち、収容部が筒状に延びる方向が基板の表面と平行な方向に延びた状態で、第２端子が基板に実装される。そして、第１端子が第２端子に嵌合して接続される際には、第１端子の挿入部が、基板の表面と平行な方向に沿って、第２端子の収容部に挿入される。
【０００５】
また、上記のコネクタにおいては、第１端子に接続された状態の電線が第１端子から延びる方向は、挿入部が収容部に挿入される方向と平行に設定される。即ち、第１端子の挿入部は、電線が第１端子から延びる方向と平行な方向であって基板の表面と平行な方向に沿って第２端子の収容部に挿入されることになる。
【先行技術文献】
【特許文献】
【０００６】
【特許文献１】特許第４８８５３２０号明細書
【発明の概要】
【発明が解決しようとする課題】
【０００７】
特許文献１に開示されたコネクタによると、電線が第１端子から延びる方向は、挿入部が収容部に挿入される方向と平行となる。そして、第１端子が第２端子に嵌合して接続される際には、第１端子の挿入部が、電線が第１端子から延びる方向と平行な方向であって基板の表面と平行な方向に沿って、第２端子の収容部に挿入される。この構成のため、作業者が第１端子を第２端子に嵌合する嵌合作業を行う際、第１端子の挿入部を第２端子の収容部に挿入する前に電線を一旦大きく湾曲させる必要が生じ易いことになる。このため、コネクタが用いられる電線或いは基板の条件により、嵌合作業が難しくなり、接続作業の作業性が低下してしまうという問題がある。
【０００８】
より具体的には、例えば、第１端子に接続される電線の長さが短い場合、電線を一旦大きく湾曲させて第１端子を第２端子に嵌合させる作業が難しくなり、接続作業の作業性が低下してしまうという問題がある。また、第２端子が基板の表面の中央付近で実装されている場合、電線を一旦大きく湾曲させて第１端子を第２端子に嵌合させる際、電線が湾曲するためのスペースが基板によって妨げられてしまい易く、嵌合作業が難しくなり、作業性が低下してしまうという問題がある。また、複数の基板が近接して設置されるような機器において上記のコネクタが用いられる場合、第２端子が実装された基板の周囲のスペースが少ないため、電線を大きく湾曲させるためのスペースを確保することが難しく、第１端子を第２端子に嵌合させる作業が難しくなり、作業性が低下してしまうという問題がある。
【０００９】
本発明は、上記実情に鑑みることにより、コネクタが用いられる電線或いは基板の条件によって金属製のコンタクト同士の嵌合作業が難しくなってしまうことを抑制でき、接続作業の作業性が低下してしまうことを抑制することができるコネクタを提供することを目的とする。
【課題を解決するための手段】
【００１０】
（１）上記目的を達成するための本発明のある局面に係るコネクタは、電線と基板とを電気的に接続するコネクタに関する。そして、本発明のある局面に係るコネクタは、前記電線に接続される金属製の第１コンタクトと、前記基板の表面に実装されて前記基板に接続されるとともに前記第１コンタクトに接続される金属製の第２コンタクトと、を備え、前記第１コンタクト及び前記第２コンタクトには、前記第１コンタクト及び前記第２コンタクトのうちの一方のコンタクトが、前記第１コンタクト及び前記第２コンタクトのうちの他方のコンタクトに嵌まり込んで嵌合した際に、前記第１コンタクトと前記第２コンタクトとを互いに係合させる係合機構が設けられ、前記第１コンタクトに接続された状態の前記電線が前記第１コンタクトから延びる方向である電線延長方向に対して垂直な方向と平行な方向に沿って、前記一方のコンタクトが前記他方のコンタクトに対して嵌まり込んで嵌合することで、前記係合機構により、前記第１コンタクトと前記第２コンタクトとが結合される。
【００１１】
この構成によると、電線延長方向に対して垂直な方向と平行な方向に沿って、一方のコンタクトが他方のコンタクトに対して嵌まり込むことで、両コンタクトが互いに係合して結合される。このため、電線延長方向と、一方のコンタクトが他方のコンタクトに対して嵌合する方向に平行な方向とが、互いに垂直に設定されることになる。これにより、作業者が、一方のコンタクトを他方のコンタクトに嵌合する嵌合作業を行う際、電線を一旦大きく湾曲させる必要がなく、一方のコンタクトを他方のコンタクトに対して容易に嵌合させることができる。よって、上記の構成によると、コネクタが用いられる電線或いは基板の条件によって金属製のコンタクト同士の嵌合作業が難しくなってしまうことを抑制することができる。そして、電線に接続された第１コンタクトと基板に接続された第２コンタクトとを接続する接続作業の作業性が低下してしまうことを抑制することができる。
【００１２】
従って、上記の構成によると、コネクタが用いられる電線或いは基板の条件によって金属製のコンタクト同士の嵌合作業が難しくなってしまうことを抑制でき、接続作業の作業性が低下してしまうことを抑制することができるコネクタを提供することができる。
【００１３】
（２）前記コネクタは、前記電線延長方向に対して垂直な方向と平行な方向であって前記基板の表面に対して垂直な方向に沿って、前記一方のコンタクトが前記他方のコンタクトに対して嵌まり込んで嵌合することで、前記係合機構により、前記第１コンタクトと前記第２コンタクトとが結合されることが好ましい。
【００１４】
この構成によると、作業者が、一方のコンタクトを他方のコンタクトに嵌合する嵌合作業を行う際、一方のコンタクトを他方のコンタクトに対して、電線延長方向に垂直で且つ基板の表面に垂直な方向に沿って、嵌合させることができる。このため、嵌合作業の際、電線を一旦大きく湾曲させる必要が生じないことに加え、基板が嵌合動作の妨げとなり得る状態もほとんど生じないことになる。よって、コンタクト同士の嵌合作業を更に容易に行うことができ、接続作業の作業性を更に向上させることができる。
【００１５】
（３）前記係合機構は、前記一方のコンタクトに設けられた第１係合部と、前記他方のコンタクトに設けられて前記第１係合部が係合する第２係合部と、を備え、前記第１係合部は、前記一方のコンタクトの壁部から外側に向かって出っ張るように設けられ、前記電線延長方向に対して垂直な方向と平行な方向に沿って、前記一方のコンタクトが前記他方のコンタクトに対して嵌まり込んで嵌合することで、前記第１係合部が前記第２係合部に係合し、前記第１コンタクトと前記第２コンタクトとが結合されることが好ましい。
【００１６】
この構成によると、係合機構が、一方のコンタクトの壁部から外側に向かって出っ張る第１係合部と、第１係合部に係合する他方のコンタクトの第２係合部とによって構成される。このため、嵌合の際に両コンタクトを互いに係合させて確実に結合させる係合機構を、簡素な構造で構成することができる。
【００１７】
（４）前記第１係合部は、前記第２係合部に対して、前記電線延長方向に平行な方向と、前記電線延長方向に対して垂直な方向に平行な方向と、の両方の方向において、係合することが好ましい。
【００１８】
この構成によると、一方のコンタクトの第１係合部が、他方のコンタクトの第２係合部に対して、電線延長方向に平行な方向及び電線延長方向に垂直な方向に平行な方向の両方向において係合する。このため、一方のコンタクトに対して他方のコンタクトをより強固に結合させることができる。そして、電線に対して種々の方向の外力が作用した場合であっても、コンタクト同士の結合状態をより強固に維持することができる。
【００１９】
（５）前記第２係合部は、前記他方のコンタクトの壁部の一部であって前記第１係合部が係合する貫通孔が形成された第１壁部に設けられ、前記第１係合部は、片持ち状に延びるように設けられるとともに、片持ち状に延びる先端側の部分が、前記一方のコンタクトに対して、先端側にかけて外側に向かって広がるように、設けられ、前記第１係合部は、先端側の部分が、前記第１壁部における前記貫通孔の縁部分に対して係合することが好ましい。
【００２０】
この構成によると、嵌合の際、片持ち状に延びて外側に向かって広がった第１係合部の先端側の部分が第１壁部の貫通孔の縁部分に係合し、両コンタクトが結合される。このため、一方のコンタクトが他方のコンタクトに嵌合した状態のコネクタにおいて、一方のコンタクトを他方のコンタクトから離間させる方向の力が作用した場合であっても、第１係合部がより強固に第２係合部に係合した状態が維持されることになる。これにより、一方のコンタクトが他方のコンタクトから外れてしまうことがより確実に防止され、両コンタクトをより強固に結合させることができる。
【００２１】
（６）前記他方のコンタクトの壁部には、前記一方のコンタクトに対して係合する第３係合部が設けられた第２壁部が含まれ、前記第２壁部は、前記他方のコンタクトの壁部において、前記第１壁部とは異なる部分として設けられ、前記第３係合部は、前記第２壁部において、前記他方のコンタクトの内側に向かって凸状に出っ張るように設けられ、前記電線延長方向に対して垂直な方向と平行な方向に沿って、前記一方のコンタクトが前記他方のコンタクトに対して嵌まり込んで嵌合することで、前記第３係合部が前記一方のコンタクトに係合することが好ましい。
【００２２】
この構成によると、一方のコンタクトが他方のコンタクトに嵌合した際に、一方のコンタクトの第１係合部が他方のコンタクトの第２係合部に係合するとともに、他方のコンタクトの第３係合部が一方のコンタクトに係合する。このため、両コンタクトを更に強固に結合させることができる。
【００２３】
（７）前記他方のコンタクトの壁部には、前記第１壁部と前記第２壁部との間において、溝が設けられていることが好ましい。
【００２４】
この構成によると、第１壁部と第２壁部との間に溝が設けられているため、第１壁部が弾性変形する際の第２壁部への影響を抑制することができる。このため、第１壁部が外側に向かって開くように大きく弾性変形した場合であっても、第２壁部が第１壁部とともに大きく外側に向かって開くように弾性変形してしまうことを抑制することができる。これにより、第１係合部及び第２係合部による係合状態と、第３係合部による係合状態とを、より独立した状態で維持することができる。よって、両コンタクトが結合した状態を維持することの信頼性を更に向上させることができる。
【００２５】
（８）前記第２壁部には、前記一方のコンタクトに対して接触し、前記一方のコンタクトと前記他方のコンタクトとを電気的に接続する接点部が設けられ、前記接点部は、前記第２壁部において、前記他方のコンタクトの外側から内側に向かって凹むように形成されるとともに前記他方のコンタクトの内側に向かって出っ張るように形成され、前記第２壁部は、前記第３係合部が設けられている部分が撓む際に、前記接点部が設けられている部分も一体に撓むように、設けられていることが好ましい。
【００２６】
この構成によると、第３係合部が一方のコンタクトに係合する際に第２壁部が弾性変形して撓むと、第２壁部における接点部が設けられている部分も撓むことになる。そして、第２壁部の弾性変形が回復して第３係合部が一方のコンタクトに係合した状態では、他方のコンタクトの内側に出っ張った接点部が、一方のコンタクトに接触することになる。このため、一方のコンタクトに他方のコンタクトを電気的に接続する動作と、第３係合部の係合動作とを、連動させることができる。更に、第３係合部の係合動作は、第２壁部の弾性変形の回復に伴って行われる。このため、第３係合部の係合動作の際には、第１コンタクトと第２コンタクトとの間で瞬間的な振動が生じ、クリック音（カチッという音）が生じることになる。これにより、一方のコンタクトを他方のコンタクトに接続する作業者は、上記の瞬間的な振動或いはクリック音を確認して第３係合部の係合動作を確認することで、一方のコンタクトが他方のコンタクトに電気的に接続されて一方のコンタクトの他方のコンタクトへの嵌合が完了したことを容易に確認することができる。
【発明の効果】
【００２７】
本発明によると、コネクタが用いられる電線或いは基板の条件によって金属製のコンタクト同士の嵌合作業が難しくなってしまうことを抑制でき、接続作業の作業性が低下してしまうことを抑制することができるコネクタを提供することができる。
【図面の簡単な説明】
【００２８】
【図１】本発明の一実施の形態に係るコネクタの斜視図であって、コンタクト同士が接続されていない状態を示す図である。
【図２】コネクタを図１とは異なる方向から見た状態を示す斜視図である。
【図３】コネクタの斜視図であって、コンタクト同士が接続された状態を示す斜視図である。
【図４】コネクタを図３とは異なる方向から見た状態を示す斜視図である。
【図５】第１コンタクトの斜視図であって、第１コンタクトが電線に接続された状態を示す図である。
【図６】第１コンタクトを図５とは異なる方向から見た状態を示す斜視図である。
【図７】第１コンタクトの平面図であって、第１コンタクトが電線に接続された状態を示す図である。
【図８】第２コンタクトの斜視図である。
【図９】第２コンタクトを図８とは異なる方向から見た状態を示す斜視図である。
【図１０】第２コンタクトの平面図である。
【図１１】第２コンタクトの正面図である。
【図１２】コネクタの斜視図であって、コンタクト同士が接続された状態を示す斜視図である。
【図１３】コネクタの平面図であって、コンタクト同士が接続された状態を示す図である。
【図１４】コネクタの断面図であって、図１３のＣ−Ｃ線矢視位置から見た断面を示す図である。
【図１５】コネクタの断面図であって、図１３のＤ−Ｄ線矢視位置から見た断面を示す図である。
【図１６】コネクタの断面図であって、図１３のＥ−Ｅ線矢視位置から見た断面を示す図である。
【図１７】コネクタの断面図であって、図１５に示す断面と図１６に示す断面とを対比して示す図である。
【図１８】変形例に係るコネクタの斜視図であって、コンタクト同士が接続されていない状態を示す図である。
【図１９】変形例のコネクタを図１８とは異なる方向から見た状態を示す斜視図である。
【図２０】変形例のコネクタの斜視図であって、コンタクト同士が接続された状態を示す斜視図である。
【図２１】変形例のコネクタを図２０とは異なる方向から見た状態を示す斜視図である。
【図２２】他の変形例に係るコネクタの断面図である。
【図２３】他の変形例のコネクタの断面図であって、図２２とは異なる断面を示す図である。
【図２４】他の変形例のコネクタの断面図であって、図２２及び図２３とは異なる断面を示す図である。
【図２５】更に他の変形例に係るコネクタの断面図である。
【発明を実施するための形態】
【００２９】
以下、本発明を実施するための形態について図面を参照しつつ説明する。尚、本発明は、電線と基板とを電気的に接続するコネクタとして、種々の用途に広く適用することができるものである。
【００３０】
［コネクタの概略］
図１は、本発明の一実施の形態に係るコネクタ１の斜視図であって、コンタクト同士が接続されていない状態を示す図である。図２は、コネクタ１を図１とは異なる方向から見た状態を示す斜視図である。図３は、コネクタ１の斜視図であって、コンタクト同士が接続された状態を示す斜視図である。図４は、コネクタ１を図３とは異なる方向から見た状態を示す斜視図である。
【００３１】
図１乃至図４に示すコネクタ１は、電線１００と基板１０１とを電気的に接続するコネクタとして構成されている。尚、図１乃至図４においては、電線１００及び基板１０１は、それらの一部のみが切欠き状態で模式的に示されている。より具体的には、図１乃至図４では、電線１００及び基板１０１については、コネクタ１に接続されている部分とその近傍の部分とが図示されている。
【００３２】
コネクタ１は、金属製の第１コンタクト１１と、金属製の第２コンタクト１２と、を備えて構成されている。第１コンタクト１１は、電線１００に接続される。第２コンタクト１２は、基板１０１の表面１０１ａに実装されて基板１０１に接続されるとともに、第１コンタクト１１に接続される。
【００３３】
尚、図１及び図２では、コンタクト同士が接続されていない状態、即ち、第１コンタクト１１と第２コンタクト１２とが接続されていない状態が図示されている。一方、図３及び図４では、コンタクト同士が接続された状態、即ち、第１コンタクト１１と第２コンタクト１２とが接続された状態が図示されている。また、図１乃至図４にて一部のみが切欠き状態で模式的に図示された基板１０１は、導電回路パターンが設けられた基板として構成されている。図１乃至図４では、基板１０１における導電回路パターンの図示は省略されている。
【００３４】
電線１００に接続された第１コンタクト１１と、基板１０１に接続された第２コンタクト１２とが、互いに接続されることで、電線１００と基板１０１とが電気的に接続される。また、コネクタ１は、第１コンタクト１１及び第２コンタクト１２のうちの一方のコンタクトである第１コンタクト１１が、第１コンタクト１１及び第２コンタクト１２のうちの他方のコンタクトである第２コンタクト１２に嵌まり込んで嵌合することで、第１コンタクト１１と第２コンタクト１２とが電気的に接続される。尚、以下の説明においては、第１コンタクト１１を一方のコンタクト１１とも称し、第２コンタクト１２を他方のコンタクト１２とも称する。
【００３５】
また、第１コンタクト１１及び第２コンタクト１２には、係合機構１３が設けられている。係合機構１３は、一方のコンタクト１１が他方のコンタクト１２に嵌まり込んで嵌合した際に、第１コンタクト１１と第２コンタクト１２とを互いに係合させる機構として設けられている。
【００３６】
係合機構１３は、第１係合部１４と第２係合部１５とを備えて構成されている。第１係合部１４は、一方のコンタクト１１（第１コンタクト１１）に設けられている。尚、第１係合部１４は、一方のコンタクト１１の本体部１１ａに設けられている。本体部１１ａは、一方のコンタクト１１において、他方のコンタクト１２に嵌め込まれる部分として設けられている。本体部１１ａは、略筒状の構造を有する部分として設けられ、その壁部には、複数の切欠き状或いは孔状の形状が形成されている。
【００３７】
第２係合部１５は、他方のコンタクト１２（第２コンタクト１２）に設けられ、他方のコンタクト１２において第１係合部１４が係合する部分として設けられている。尚、第２係合部１５は、他方のコンタクト１２の本体部１２ａに設けられている。本体部１２ａは、他方のコンタクト１２において、一方のコンタクト１１が嵌め込まれる部分として設けられている。本体部１２ａは、２面が開口した状態の略箱状の構造を有する部分として設けられ、その壁部には、複数の切欠き状或いは孔状の形状が形成されている。
【００３８】
コネクタ１は、一方のコンタクト１１の本体部１１ａが、他方のコンタクト１２の本体部１２ａの内側に嵌まり込んで嵌合するように構成されている。また、コネクタ１は、第１コンタクト１１に接続された状態の電線１００が第１コンタクト１１から延びる方向である電線延長方向に対して垂直な方向と平行な方向に沿って、一方のコンタクト１１（第１コンタクト１１）が他方のコンタクト１２（第２コンタクト１２）に嵌まり込んで嵌合するように構成されている。更に、コネクタ１は、上記の電線延長方向に対して垂直な方向と平行な方向であって基板１０１の表面１０１ａに対して垂直な方向に沿って、一方のコンタクト１１が他方のコンタクト１２に対して嵌まり込んで嵌合するように構成されている。尚、上記の電線延長方向については、図１乃至図４において、矢印Ａで示されている。また、電線延長方向に対して垂直な方向と平行な方向であって基板１０１の表面１０１ａに対して垂直な方向については、図１及び図２において、矢印Ｂで示されている。
【００３９】
また、コネクタ１は、上記のように、一方のコンタクト１１が他方のコンタクト１２に対して嵌まり込んで嵌合することで、第１係合部１４が第２係合部１５に係合し、第１コンタクト１１と第２コンタクト１２とが結合されるように構成されている。即ち、コネクタ１は、一方のコンタクト１１が他方のコンタクト１２に対して嵌まり込んで嵌合することで、係合機構１３により、第１コンタクト１１と第２コンタクト１２とが結合されるように構成されている。
【００４０】
［第１コンタクト］
次に、第１コンタクト１１について更に詳しく説明する。図５は、第１コンタクト１１の斜視図であって、第１コンタクト１１が電線１００に接続された状態を示す図である。図６は、第１コンタクト１１を図５とは異なる方向から見た状態を示す斜視図である。図７は、第１コンタクト１１の平面図であって、第１コンタクト１１が電線１００に接続された状態を示す図である。
【００４１】
図１乃至図７に示す第１コンタクト１１は、導電性を有する金属材料で形成されたコンタクトとして設けられている。そして、第１コンタクト１１は、電線１００に接続される。電線１００は、導体１００ｂの周囲が被覆部１００ａによって絶縁被覆されて構成されている（図７を参照）。そして、第１コンタクト１１は、電線１００の端部において被覆部１００ａから突出して露出した導体１００ｂの端部に対してかしめられて接触していることで、電線１００の導体１００ｂに対して電気的に接続されている。
【００４２】
第１コンタクト１１には、前述した係合機構１３の一部である第１係合部１４に加え、電線固定部１６、導体かしめ部１７、係合凹部１８、等が設けられている。第１係合部１４及び係合凹部１８は、本体部１１ａに設けられている。電線固定部１６及び導体かしめ部１７は、本体部１１ａに一体に設けられ、本体部１１ａと電線１００とを接続する部分として設けられている。
【００４３】
電線固定部１６は、電線１００の端部に対して被覆部１００ａの外側からかしめられ、電線１００に対して固定される部分として設けられている。導体かしめ部１７は、電線１００の端部から突出して露出した導体１００ｂに対して導体１００ｂの周囲を覆うようにかしめられ、導体１００ｂに対して固定される部分として設けられている。
【００４４】
第１係合部１４は、第１コンタクト１１の本体部１１ａにおいて、一対で設けられている。そして、一対の第１係合部（１４、１４）のそれぞれは、本体部１１ａにおいて対向する一対の壁部（１９、１９）のそれぞれに設けられている。尚、第１係合部１４が係合する第２係合部１５も、第２コンタクト１２の本体部１２ａにおいて、一対で設けられている。そして、各第１係合部１４が各第２係合部１５に係合するように構成されている。
【００４５】
また、各第１係合部１４は、第１コンタクト１１（即ち、一方のコンタクト１１）の各壁部１９から外側に向かって出っ張るように設けられている。そして、各第１係合部１４は、各壁部１９において内側を部分的に露出させるように窓状に切り欠かれて形成された部分において、板状の形状で突出する部分として設けられている。電線延長方向（図１乃至図４にて矢印Ａで示す方向）に対して垂直な方向と平行な方向に沿って、第１コンタクト１１（一方のコンタクト１１）が第２コンタクト１２（他方のコンタクト１２）に対して嵌まり込んで嵌合することで、各壁部１９から外側に出っ張って設けられた各第１係合部１４が各第２係合部１５に係合する。これにより、第１コンタクト１１と第２コンタクト１２とが結合される。
【００４６】
また、各第１係合部１４は、各壁部１９において、片持ち状に延びるように設けられている。更に、各第１係合部１４は、片持ち状に延びる先端側の部分が、第１コンタクト１１（即ち、一方のコンタクト１１）に対して、先端側にかけて外側に向かって広がるように、設けられている。尚、一対の第１係合部（１４、１４）は、一対の壁部（１９、１９）の中間位置を通り一対の壁部（１９、１９）に対して略平行な仮想の面を中心として、略線対称の状態で、片持ち状に延びるように設けられている。そして、一対の係合部（１４、１４）のそれぞれの先端側の部分は、本体部１１ａの外側に向かって且つ互いに逆方向に向かって広がるように設けられている。
【００４７】
係合凹部１８は、第１コンタクト１１の本体部１１ａにおいて、第２コンタクト１２の本体部１２ａに設けられた後述する第３係合部２０が係合する部分として設けられている。そして、係合凹部１８は、第１コンタクト１１の本体部１１ａにおいて、一対で設けられている。また、一対の係合凹部（１８、１８）のそれぞれは、本体部１１ａにおいて対向する一対の壁部（１９、１９）のそれぞれに設けられている。よって、各壁部１９には、第１係合部１４及び係合凹部１８が設けられている。
【００４８】
また、各係合凹部１８は、各壁部１９において、内側を部分的に露出させるように窓状に切り欠かれて形成された部分として設けられている。尚、一対の係合凹部（１８、１８）は、一対の壁部（１９、１９）の中間位置を通り一対の壁部（１９、１９）に対して略平行な仮想の面を中心として、略線対称の位置に配置されている。
【００４９】
［第２コンタクト］
次に、第２コンタクト１２について更に詳しく説明する。図８は、第２コンタクト１２の斜視図である。図９は、第２コンタクト１２を図８とは異なる方向から見た状態を示す斜視図である。図１０は、第２コンタクト１２の平面図である。図１１は、第２コンタクト１２の正面図である。
【００５０】
図１乃至図４、図８乃至図１１に示す第２コンタクト１２は、基板１０１に接続されるコンタクトとして設けられている。そして、第２コンタクト１２は、導電性を有する金属材料で形成されたコンタクトとして設けられている。第２コンタクト１２は、基板１０１に実装されるときに、基板１０１の表面１０１ａの導電回路パターンにおける所定の導電部に対してはんだ付けされる。これにより、第２コンタクト１２は、基板１０１に対して電気的に接続されるとともに固定される。
【００５１】
第２コンタクト１２には、前述した係合機構１３の一部である第２係合部１５に加え、第３係合部２０、リード部２１、接点部２７、等が設けられている。第２係合部１５、第３係合部２０及び接点部２７は、本体部１２ａに設けられている。リード部２１は、本体部１２ａに一体に設けられている。
【００５２】
リード部２１は、本体部１２ａと基板１０１とを接続する部分として設けられている。リード部２１は、第２コンタクト１２において、一対で設けられている。そして、一対のリード部（２１、２１）のそれぞれは、本体部１２ａから外側に向かって、板状の形状で突出するように設けられている。各リード部２１は、基板１０１の表面１０１ａの導電回路パターンにおける所定の導電部に対してはんだ付けされる。これにより、第２コンタクト１２の本体部１２ａが、基板１０１に対して固定されるとともに電気的に接続される。
【００５３】
第２係合部１５は、第２コンタクト１２の本体部１２ａにおいて、一対で設けられている。一対の第２係合部（１５、１５）のそれぞれは、本体部１２ａにおいて対向する一対の壁部（２２、２２）のそれぞれに設けられている。そして、一対の第２係合部（１５、１５）のそれぞれは、第１コンタクト１１における一対の第１係合部（１４、１４）のそれぞれが係合する部分として設けられている。
【００５４】
また、各第２係合部１５は、第２コンタクト１２（即ち、他方のコンタクト１２）の各壁部２２の一部であって第１係合部１４が係合する貫通孔２６が設けられた第１壁部２３に設けられている。第１コンタクト１１が第２コンタクト１２に嵌まり込んで嵌合したときには、第１コンタクト１１の本体部１１ａにおいて片持ち状に延びる各第１係合部１４の先端側の部分が、各第１壁部２３に設けられた各貫通孔２６の縁部分に対して係合する。尚、第１コンタクト１１の本体部１１ａは、第２コンタクト１２の本体部１２ａの内側に嵌め込まれ、各第１係合部１４は、各第２係合部１５における貫通孔２６の縁部分に対して、本体部１２ａの内側から係合する。
【００５５】
第３係合部２０は、本体部１２ａにおいて、一対で設けられている。一対の第３係合部（２０、２０）のそれぞれは、一対の壁部（２２、２２）のそれぞれに設けられている。そして、一対の第３係合部（２０、２０）のそれぞれは、第１コンタクト１１における一対の係合凹部（１８、１８）のそれぞれに対して係合する部分として設けられている。
【００５６】
また、各第３係合部２０は、第２コンタクト１２の各壁部２２の一部である第２壁部２４に設けられている。即ち、第２コンタクト１２（他方のコンタクト１２）の各壁部２２には、第２係合部１５が設けられた第１壁部２３に加え、第１コンタクト１１（一方のコンタクト１１）に対して係合する第３係合部２０が設けられた第２壁部２４が含まれている。第２壁部２４は、第２コンタクト１２（他方のコンタクト１２）の各壁部２２において、第１壁部２３とは異なる部分として設けられている。
【００５７】
各第３係合部２０は、各第２壁部２４において、第２コンタクト１２（他方のコンタクト１２）の内側に向かって凸状に出っ張るように設けられている。電線延長方向（図１乃至図４にて矢印Ａで示す方向）に対して垂直な方向と平行な方向に沿って、第１コンタクト１１（一方のコンタクト１１）が第２コンタクト１２（他方のコンタクト１２）に対して嵌まり込んで嵌合することで、各壁部２４から内側に凸状に出っ張って設けられた各第３係合部２０が、各係合凹部１８において第１コンタクト１１（一方のコンタクト１１）に係合する。これにより、第１係合部１４と第２係合部１５との係合に加え、係合凹部１８と第３係合部２０との係合によっても、第１コンタクト１１と第２コンタクト１２とが結合される。
【００５８】
尚、第２コンタクト１２（他方のコンタクト１２）の各壁部２２には、各第１壁部２３と各第２壁部２４との間において、溝２５が設けられている。即ち、本体部１２ａにおいて、第１壁部２３と第２壁部２４とを区画する溝２５は、一対で設けられている。各溝２５は、各壁部２２において、幅広のスリット状の溝として設けられている。また、各溝２５は、各壁部２２において、一端側が外側に開放された切込み状に形成されている。これにより、第１壁部２３の端部側の部分と第２壁部２４の端部側の部分とが、独立して撓むように設けられている。
【００５９】
接点部２７は、一対で設けられている。そして、一対の接点部（２７、２７）のそれぞれは、第２コンタクト１２の一対の第２壁部（２４、２４）のそれぞれに設けられている。各接点部２７は、第１コンタクト１１（一方のコンタクト１１）に接触し、第１コンタクト１１（一方のコンタクト１１）と第２コンタクト１２（他方のコンタクト１２）とを電気的に接続する部分として設けられている。
【００６０】
また、接点部２７は、各第２壁部２４において、第２コンタクト１２（他方のコンタクト１２）の本体部１２ａの外側から内側に向かって凹むように形成されている。また、これにより、接点部２７は、各第２壁部２４において、第２コンタクト１２（他方のコンタクト１２）の本体部１２ａの内側に向かって出っ張るように形成されている。
【００６１】
上記のように構成されていることで、コネクタ１は、第１コンタクト１１の本体部１１ａが第２コンタクト１２の本体部１２ａの内側に嵌め込まれた状態では、一対の接点部（２７、２７）が、本体部１１ａにおける一対の壁部（１９、１９）に対して押し付けられて接触するように構成されている。即ち、コネクタ１は、本体部１１ａが本体部１２ａに嵌合し、第１コンタクト１１と第２コンタクト１２とが結合した状態では、一対の接点部（２７、２７）のそれぞれが、一対の壁部（１９、１９）のそれぞれに対して押し付けられ、一対の壁部（１９、１９）のそれぞれに対して確実に接触するように構成されている。
【００６２】
尚、第２コンタクト１２の各壁部２２においては、前述のように、第２係合部１５が設けられた第１壁部２３と、第３係合部２０及び接点部２７が設けられた第２壁部２４との間において、溝２５が設けられている。しかし、各第２壁部２４における第３係合部２０が設けられている部分と接点部２７が設けられている部分との間には、溝２５のような溝は設けられていない。即ち、各第２壁部２４においては、第３係合部２０が設けられている部分と接点部２７が設けられている部分との間においては、切込み状の部分は設けられていない。そして、各第２壁部２４は、第３係合部２０が設けられている部分が撓む際に、接点部２７が設けられている部分も一体に撓むように、設けられている。
【００６３】
［第１コンタクトと第２コンタクトとの結合］
次に、上述した第１コンタクト１１と第２コンタクト１２とが結合した状態について、図１２乃至図１６も参照しつつ更に詳しく説明する。
【００６４】
図１２は、コネクタ１の斜視図であって、コンタクト同士が接続された状態、即ち、第１コンタクト１１と第２コンタクト１２とが接続された状態、を示す斜視図である。図１３は、コネクタ１の平面図であって、コンタクト同士が接続された状態を示す図である。図１４は、コネクタ１の断面図であって、図１３のＣ−Ｃ線矢視位置から見た断面を示す図である。図１５は、コネクタ１の断面図であって、図１３のＤ−Ｄ線矢視位置から見た断面を示す図である。図１６は、コネクタ１の断面図であって、図１３のＥ−Ｅ線矢視位置から見た断面を示す図である。図１２乃至図１６においては、コンタクト同士が接続された状態、即ち、第１コンタクト１１と第２コンタクト１２とが結合された状態が図示されている。尚、図１２及び図１３では、第１コンタクト１１に接続された電線１００の一部は図示されているが、第２コンタクト１２が接続される基板１０１の図示は省略されている。
【００６５】
前述したように、第１コンタクト１１の本体部１１ａが第２コンタクト１２の本体部１２ａに嵌まり込んで嵌合することで、第１係合部１４と第２係合部１５とを有する係合機構１３により、第１コンタクト１１と第２コンタクト１２とが結合される。そして、係合機構１３によって第１コンタクト１１と第２コンタクト１２とが結合した状態では、図３、図４、図１２乃至図１４に示すように、第１コンタクト１１（一方のコンタクト１１）に設けられた第１係合部１４が、第２コンタクト１２（他方のコンタクト１２）に設けられた第２係合部１５に係合している。
【００６６】
また、第１コンタクト１１が第２コンタクト１２に嵌合する際には、第１コンタクト１１の壁部１９から外側に出っ張って片持ち状に延びるように設けられた第１係合部１４は、第２コンタクト１２の第１壁部２３の内側に当接する。これにより、第２係合部１５が設けられた第１壁部２３の先端側の部分が、一旦、第２コンタクト１２の外側に向かって撓む。そして、第１コンタクト１１の第２コンタクト１２への嵌合が完了した状態では、一旦外側に向かって撓んだ第１壁部２３は、弾性回復する。これにより、第１係合部１４は、その先端側の部分が、第２コンタクト１２の第１壁部２３における貫通孔２６の縁部分に対して係合するように、構成されている。
【００６７】
更に、第１係合部１４は、第２係合部１５に対して、電線延長方向（図１２及び図１３にて矢印Ａで示す方向）に平行な方向と、電線延長方向に対して垂直な方向に平行な方向と、の両方において、係合する。より具体的には、第１係合部１４は、第２コンタクト１２の第１壁部２３における貫通孔２６の縁部分に対して、電線延長方向に平行な方向と、電線延長方向に対して垂直な方向に平行な方向であって基板１０１の表面１０１ａに対して垂直な方向と、の両方において、係合する。
【００６８】
また、前述したように、第１コンタクト１１が第２コンタクト１２に嵌合することで、第３係合部２０及び係合凹部１８によっても、第１コンタクト１１と第２コンタクト１２とが結合される。即ち、第１コンタクト１１と第２コンタクト１２とが結合した状態では、図３、図４、図１２、図１３、図１５に示すように、第２コンタクト１２（他方のコンタクト１２）に設けられた第３係合部２０が、第１コンタクト１１（一方のコンタクト１１）に設けられた係合凹部１８に係合している。
【００６９】
また、第１コンタクト１１が第２コンタクト１２に嵌合する際には、第２コンタクト１２の壁部２４において内側に向かって凸状に出っ張って設けられた第３係合部２０は、第１コンタクト１１の壁部１９の外側に当接することで、一旦、第２コンタクト１２の外側に向かって撓む。そして、第１コンタクト１１の第２コンタクト１２への嵌合が完了した状態では、一旦外側に向かって撓んだ第３係合部２０は、弾性回復する。これにより、第３係合部２０は、第１コンタクト１１の壁部１９における係合凹部１８の縁部分に対して係合するように、構成されている。
【００７０】
また、前述したように、第１コンタクト１１と第２コンタクト１２とが結合した状態では、第１コンタクト１１と第２コンタクト１２とが電気的に接続されている。即ち、図１６において明瞭に示されているように、第２コンタクト１２の壁部２２において内側に出っ張るように形成された接点部２７は、第１コンタクト１１の壁部１９の外表面に対して、押し付けられた状態で接触している。これにより、第１コンタクト１１及び第２コンタクト１２は、結合した状態において確実に電気的に接続されるように構成されている。
【００７１】
［本実施形態の作用及び効果］
本実施形態によると、電線延長方向に対して垂直な方向と平行な方向に沿って、一方のコンタクト１１（第１コンタクト１１）が他方のコンタクト１２（第２コンタクト１２）に対して嵌まり込むことで、両コンタクト（１１、１２）が互いに係合して結合される。このため、電線延長方向と、一方のコンタクト１１が他方のコンタクト１２に対して嵌合する方向に平行な方向とが、互いに垂直に設定されることになる。これにより、作業者が、一方のコンタクト１１を他方のコンタクト１２に嵌合する嵌合作業を行う際、電線１００を一旦大きく湾曲させる必要がなく、一方のコンタクト１１を他方のコンタクト１２に対して容易に嵌合させることができる。よって、本実施形態によると、コネクタ１が用いられる電線１００或いは基板１０１の条件によって金属製のコンタクト（１１、１２）同士の嵌合作業が難しくなってしまうことを抑制することができる。そして、電線１００に接続された第１コンタクト１１と基板１０１に接続された第２コンタクト１２とを接続する接続作業の作業性が低下してしまうことを抑制することができる。
【００７２】
従って、本実施形態によると、コネクタ１が用いられる電線１００或いは基板１０１の条件によって金属製のコンタクト（１１、１２）同士の嵌合作業が難しくなってしまうことを抑制でき、接続作業の作業性が低下してしまうことを抑制することができるコネクタ１を提供することができる。
【００７３】
また、本実施形態によると、作業者が、一方のコンタクト１１を他方のコンタクト１２に嵌合する嵌合作業を行う際、一方のコンタクト１１を他方のコンタクト１２に対して、電線延長方向に垂直で且つ基板１０１の表面に垂直な方向に沿って、嵌合させることができる。このため、嵌合作業の際、電線１００を一旦大きく湾曲させる必要が生じないことに加え、基板１０１が嵌合動作の妨げとなり得る状態もほとんど生じないことになる。よって、コンタクト（１１、１２）同士の嵌合作業を更に容易に行うことができ、接続作業の作業性を更に向上させることができる。
【００７４】
また、本実施形態によると、係合機構１３が、一方のコンタクト１１の壁部１９から外側に向かって出っ張る第１係合部１４と、第１係合部１４に係合する他方のコンタクト１２の第２係合部１５とによって構成される。このため、嵌合の際に両コンタクト（１１、１２）を互いに係合させて確実に結合させる係合機構１３を、簡素な構造で構成することができる。
【００７５】
また、本実施形態によると、一方のコンタクト１１の第１係合部１４が、他方のコンタクト１２の第２係合部１５に対して、電線延長方向に平行な方向及び電線延長方向に垂直な方向に平行な方向の両方向において係合する。このため、一方のコンタクト１１に対して他方のコンタクト１２をより強固に結合させることができる。そして、電線１００に対して種々の方向の外力が作用した場合であっても、コンタクト（１１、１２）同士の結合状態をより強固に維持することができる。
【００７６】
また、本実施形態によると、嵌合の際、片持ち状に延びて外側に向かって広がった第１係合部１４の先端側の部分が第１壁部２３の貫通孔２６の縁部分に係合し、両コンタクト（１１、１２）が結合される。このため、一方のコンタクト１１が他方のコンタクト１２に嵌合した状態のコネクタ１において、一方のコンタクト１１を他方のコンタクト１２から離間させる方向の力が作用した場合であっても、第１係合部１４がより強固に第２係合部１５に係合した状態が維持されることになる。これにより、一方のコンタクト１１が他方のコンタクト１２から外れてしまうことがより確実に防止され、両コンタクト（１１、１２）をより強固に結合させることができる。
【００７７】
また、本実施形態によると、一方のコンタクト１１が他方のコンタクト１２に嵌合した際に、一方のコンタクト１１の第１係合部１４が他方のコンタクト１２の第２係合部１５に係合するとともに、他方のコンタクト１２の第３係合部２０が一方のコンタクト１１に係合する。このため、両コンタクト（１１、１２）を更に強固に結合させることができる。
【００７８】
また、本実施形態によると、第１壁部２３と第２壁部２４との間に溝２５が設けられているため、第１壁部２３が弾性変形する際の第２壁部２４への影響を抑制することができる。このため、第１壁部２３が外側に向かって開くように大きく弾性変形した場合であっても、第２壁部２４が第１壁部２３とともに大きく外側に向かって開くように弾性変形してしまうことを抑制することができる。これにより、第１係合部１４及び第２係合部１５による係合状態と、第３係合部２０による係合状態とを、より独立した状態で維持することができる。よって、両コンタクト（１１、１２）が結合した状態を維持することの信頼性を更に向上させることができる。
【００７９】
また、本実施形態によると、第３係合部２０が一方のコンタクト１１に係合する際に第２壁部２４が弾性変形して撓むと、第２壁部２４における接点部２７が設けられている部分も撓むことになる。そして、第２壁部２４の弾性変形が回復して第３係合部２０が一方のコンタクト１１に係合した状態では、他方のコンタクト１２の内側に出っ張った接点部２７が、一方のコンタクト１１に接触することになる。このため、一方のコンタクト１１に他方のコンタクト１２を電気的に接続する動作と、第３係合部２０の係合動作とを、連動させることができる。更に、第３係合部２０の係合動作は、第２壁部２４の弾性変形の回復に伴って行われる。このため、第３係合部２０の係合動作の際には、一方のコンタクト１１と他方のコンタクト１２との間で瞬間的な振動が生じ、クリック音（カチッという音）が生じることになる。これにより、一方のコンタクト１１を他方のコンタクト１２に接続する作業者は、上記の瞬間的な振動或いはクリック音を確認して第３係合部２０の係合動作を確認することで、一方のコンタクト１１が他方のコンタクト１２に電気的に接続されて一方のコンタクト１１の他方のコンタクト１２への嵌合が完了したことを容易に確認することができる。
【００８０】
また、本実施形態によると、第３係合部２０が設けられている部分が撓む際に接点部２７が設けられている部分も一体に撓むように、第２壁部２４が設けられているため、一方のコンタクト１１を他方のコンタクト１２に嵌合させる際に必要となる挿入力を低減することができる。即ち、本実施形態によると、作業者が嵌合作業を行う際に一方のコンタクト１１を他方のコンタクト１２の内側に挿入するために必要となる挿入力を低減することができる。この点について、図１７を参照しつつ更に説明する。
【００８１】
図１７は、コネクタ１の断面図であって、図１５に示す断面と図１６に示す断面とを対比して示す図である。図１７（ａ）が図１５に対応し、図１７（ｂ）が図１６に対応している。図１７（ａ）においては、他方のコンタクト１２の本体部１２ａの底部から第３係合部２０までの距離寸法Ｌ１が、両端矢印Ｌ１で図示されている。一方、図１７（ｂ）においては、他方のコンタクト１２の本体部１２ａの底部から接点部２７までの距離寸法Ｌ２が、両端矢印Ｌ２で図示されている。
【００８２】
図１７（ａ）及び図１７（ｂ）において示されているように、他方のコンタクト１２は、本体部１２ａの底部から第３係合部２０までの距離寸法Ｌ１の方が、本体部１２ａの底部から接点部２７までの距離寸法Ｌ２よりも長くなるように、構成されている。即ち、他方のコンタクト１２の第２壁部２４は、本体部１２ａの底部から第３係合部２０までのモーメントアーム長さ（距離寸法Ｌ１）の方が、本体部１２ａの底部から接点部２７までのモーメントアーム長さ（距離寸法Ｌ２）よりも長くなるように、構成されている。更に、第２壁部２４は、第３係合部２０が設けられている部分が撓む際に接点部２７が設けられている部分も一体に撓むように、設けられている。このため、本実施形態によると、一方のコンタクト１１を他方のコンタクト１２の内側に挿入する際に第２壁部２４を変形させるために必要となる力を、第３係合部２０が設けられていないコネクタの形態の場合と比較して、低減することができる。よって、本実施形態によると、作業者が嵌合作業を行う際に一方のコンタクト１１を他方のコンタクト１２の内側に挿入するために必要となる挿入力を低減することができる。
【００８３】
［変形例］
以上、本発明の実施の形態について説明したが、本発明は上述の実施の形態に限られるものではなく、特許請求の範囲に記載した限りにおいて様々な変更が可能なものである。例えば、次のように変更して実施してもよい。
【００８４】
（１）前述の実施形態では、電線延長方向に対して垂直な方向と平行な方向であって基板の表面に対して垂直な方向に沿って、一方のコンタクトが他方のコンタクトに対して嵌まり込んで嵌合するコネクタの形態を例にとって説明したが、この通りでなくてもよい。電線延長方向に対して垂直な方向と平行な方向に沿って、一方のコンタクトが他方のコンタクトに対して嵌まり込んで嵌合するコネクタの形態であればよい。例えば、図１８乃至図２１に示す変形例に係るコネクタ２が実施されてもよい。尚、図１８乃至図２１に示す変形例に係るコネクタ２の説明においては、前述の実施形態のコネクタ１と機能的に対応して構成される要素については、図面において同一の符号を付すことで、或いは同一の符号を引用することで、詳細な説明を省略する。そして、図１８乃至図２１に示すコネクタ２については、コネクタ１と異なる構成について説明する。
【００８５】
図１８は、変形例に係るコネクタ２の斜視図であって、コンタクト同士が接続されていない状態を示す図である。図１９は、コネクタ２を図１８とは異なる方向から見た状態を示す斜視図である。図２０は、コネクタ２の斜視図であって、コンタクト同士が接続された状態を示す斜視図である。図２１は、コネクタ２を図２０とは異なる方向から見た状態を示す斜視図である。
【００８６】
図１８乃至図２１に示すコネクタ２は、前述の実施形態のコネクタ１と同様に、電線１００と基板１０１とを電気的に接続するコネクタとして構成されている。尚、図１８乃至図２１においては、電線１００及び基板１０１は、それらの一部のみが切欠き状態で模式的に示されている。より具体的には、図１８乃至図２１では、電線１００及び基板１０１については、コネクタ２に接続されている部分とその近傍の部分とが図示されている。
【００８７】
コネクタ２は、コネクタ１と同様に、金属製の第１コンタクト１１と、金属製の第２コンタクト１２と、を備えて構成されている。第１コンタクト１１は、電線１００に接続される。第２コンタクト１２は、基板１０１の表面１０１ａに実装されて基板１０１に接続されるとともに、第１コンタクト１１に接続される。
【００８８】
尚、図１８及び図１９では、コンタクト同士が接続されていない状態、即ち、第１コンタクト１１と第２コンタクト１２とが接続されていない状態が図示されている。一方、図２０及び図２１では、コンタクト同士が接続された状態、即ち、第１コンタクト１１と第２コンタクト１２とが接続された状態が図示されている。
【００８９】
コネクタ２には、コネクタ１と同様に、係合機構１３が設けられている。そして、コネクタ２の第１コンタクト１１には、コネクタ１の第１コンタクト１１と同様に、第１係合部１４、電線固定部１６、導体かしめ部１７、係合凹部１８、壁部１９、等が設けられている。また、コネクタ２の第２コンタクト１２には、コネクタ１の第２コンタクト１２と同様に、第２係合部１５、第３係合部２０、リード部２１、壁部２２、溝２５、貫通孔２６、接点部２７、等が設けられている。
【００９０】
しかし、コネクタ２は、一方のコンタクト１１である第１コンタクト１１が、他方のコンタクト１２である第２コンタクト１２に対して嵌まり込んで嵌合する形態において、コネクタ１とは異なる構成を有している。
【００９１】
コネクタ２は、コネクタ１と同様に、一方のコンタクト１１の本体部１１ａが、他方のコンタクト１２の本体部１２ａの内側に嵌まり込んで嵌合するように構成されている。また、コネクタ２は、コネクタ１と同様に、第１コンタクト１１に接続された状態の電線１００が第１コンタクト１１から延びる方向である電線延長方向に対して垂直な方向と平行な方向に沿って、一方のコンタクト１１（第１コンタクト１１）が他方のコンタクト１２（第２コンタクト１２）に嵌まり込んで嵌合するように構成されている。しかしながら、コネクタ２は、コネクタ１とは異なり、上記の電線延長方向に対して垂直な方向と平行な方向であって基板１０１の表面１０１ａと平行な方向に沿って、一方のコンタクト１１が他方のコンタクト１２に対して嵌まり込んで嵌合するように構成されている。尚、上記の電線延長方向については、図１８乃至図２１において、矢印Ａで示されている。また、電線延長方向に対して垂直な方向であって基板１０１の表面１０１ａと平行な方向については、図１８及び図１９において、矢印Ｆで示されている。
【００９２】
尚、コネクタ２は、コネクタ１と同様に、一方のコンタクト１１が他方のコンタクト１２に対して嵌まり込んで嵌合することで、第１係合部１４が第２係合部１５に係合し、第１コンタクト１１と第２コンタクト１２とが結合されるように構成されている。即ち、コネクタ２は、一方のコンタクト１１が他方のコンタクト１２に対して嵌まり込んで嵌合することで、係合機構１３により、第１コンタクト１１と第２コンタクト１２とが結合されるように構成されている。また、コネクタ２は、一方のコンタクト１１が他方のコンタクト１２に対して嵌まり込んで嵌合することで、第３係合部２０が係合凹部１８に係合し、第１コンタクト１１と第２コンタクト１２とが結合されるようにも構成されている。
【００９３】
上述した変形例に係るコネクタ２によっても、コネクタ１と同様の効果を奏することができる。即ち、コネクタ２が用いられる電線１００或いは基板１０１の条件によって金属製のコンタクト（１１、１２）同士の嵌合作業が難しくなってしまうことを抑制でき、接続作業の作業性が低下してしまうことを抑制することができるコネクタ２を提供することができる。
【００９４】
（２）前述の実施形態では、電線に接続される第１コンタクトが、基板に接続される第２コンタクトに対して嵌まり込んで嵌合するコネクタの形態を例にとって説明したが、この通りでなくてもよい。基板に接続される第２コンタクトが、電線に接続される第１コンタクトに対して嵌まり込んで嵌合するコネクタが実施されてもよい。例えば、図２２乃至図２４に示す他の変形例に係るコネクタ３が実施されてもよい。尚、図２２乃至図２４に示す他の変形例に係るコネクタ３の説明においては、前述の実施形態のコネクタ１と機能的に対応して構成される要素については、図面において同一の符号を付すことで、或いは同一の符号を引用することで、詳細な説明を省略する。そして、図２２乃至図２４に示すコネクタ３については、コネクタ１と異なる構成について説明する。
【００９５】
図２２は、他の変形例に係るコネクタ３の断面図である。図２３は、コネクタ３の断面図であって、図２２とは異なる断面を示す図である。図２４は、コネクタ３の断面図であって、図２２及び図２３とは異なる断面を示す図である。
【００９６】
図２２乃至図２４に示すコネクタ３は、前述の実施形態のコネクタ１と同様に、電線１００と基板１０１とを電気的に接続するコネクタとして構成されている。尚、図２２乃至図２４においては、電線１００及び基板１０１の図示は省略されている。
【００９７】
コネクタ３は、金属製の第１コンタクト３１と、金属製の第２コンタクト３２と、を備えて構成されている。第１コンタクト３１は、電線１００に接続される。第２コンタクト３２は、基板１０１の表面１０１ａに実装されて基板１０１に接続されるとともに、第１コンタクト３１に接続される。
【００９８】
電線１００に接続された第１コンタクト３１と、基板１０１に接続された第２コンタクト３２とが、互いに接続されることで、電線１００と基板１０１とが電気的に接続される。また、コネクタ３は、第１コンタクト３１及び第２コンタクト３２のうちの一方のコンタクトである第２コンタクト３２が、第１コンタクト３１及び第２コンタクト３２のうちの他方のコンタクトである第１コンタクト３１に嵌まり込んで嵌合することで、第１コンタクト３１と第２コンタクト３２とが電気的に接続される。尚、以下の説明においては、第２コンタクト３２を一方のコンタクト３２とも称し、第１コンタクト３１を他方のコンタクト３１とも称する。
【００９９】
コネクタ３は、一方のコンタクト３２の本体部３２ａが、他方のコンタクト３１の本体部３１ａの内側に嵌まり込んで嵌合するように構成されている。また、コネクタ３は、第１コンタクト３１に接続された状態の電線１００が第１コンタクト３１から延びる方向である電線延長方向に対して垂直な方向と平行な方向に沿って、一方のコンタクト３２（第２コンタクト３２）が他方のコンタクト３１（第１コンタクト３１）に嵌まり込んで嵌合するように構成されている。更に、コネクタ３は、上記の電線延長方向に対して垂直な方向と平行な方向であって基板１０１の表面１０１ａに対して垂直な方向に沿って、一方のコンタクト３２が他方のコンタクト３１に対して嵌まり込んで嵌合するように構成されている。
【０１００】
コネクタ３には、コネクタ１の係合機構１３と同様に構成される係合機構１３が設けられている。そして、コネクタ３の第１コンタクト３１には、コネクタ１の第２コンタクト１２と同様に構成される第２係合部１５、第３係合部２０、貫通孔２６、接点部２７、等が設けられている。また、コネクタ３の第２コンタクト３２には、コネクタ１の第１コンタクト１１と同様に構成される第１係合部１４、係合凹部１８、等が設けられている。
【０１０１】
尚、図２２は、第１係合部１４及び第２係合部１５を備える係合機構１３が表れたコネクタ３の断面を示している。また、図２３は、第３係合部２０及び係合凹部１８が表れたコネクタ３の断面を示している。また、図２４は、接点部２７が表れたコネクタ３の断面を示している。尚、図２２乃至図２４においては、第１コンタクト３１の本体部３１ａ及び第２コンタクト３２の本体部３２ａの内側に表れる要素の図示は省略されている。
【０１０２】
コネクタ３は、一方のコンタクト１１が他方のコンタクト１２に対して嵌まり込んで嵌合することで、第１係合部１４が第２係合部１５に係合し、第１コンタクト１１と第２コンタクト１２とが結合されるように構成されている。即ち、コネクタ３は、一方のコンタクト３２が他方のコンタクト３１に対して嵌まり込んで嵌合することで、係合機構１３により、第１コンタクト３１と第２コンタクト３２とが結合されるように構成されている。また、コネクタ３は、一方のコンタクト３１が他方のコンタクト３２に対して嵌まり込んで嵌合することで、第３係合部２０が係合凹部１８に係合し、第１コンタクト３１と第２コンタクト３２とが結合されるようにも構成されている。
【０１０３】
上述した変形例に係るコネクタ３によっても、コネクタ１と同様の効果を奏することができる。即ち、コネクタ３が用いられる電線１００或いは基板１０１の条件によって金属製のコンタクト（３１、３２）同士の嵌合作業が難しくなってしまうことを抑制でき、接続作業の作業性が低下してしまうことを抑制することができるコネクタ３を提供することができる。
【０１０４】
（３）前述の実施形態では、一方のコンタクトに設けられて一方のコンタクトの壁部から外側に向かって出っ張るように設けられた第１係合部と、他方のコンタクトに設けられて第１係合部が係合する第２係合部と、を備える係合機構を例にとって説明したが、この通りでなくてもよい。即ち、係合機構については、前述の実施形態で例示した形態に限らず、種々変更されて実施されてもよい。例えば、図２５に示す係合機構を備える更に他の変形例に係るコネクタ４が実施されてもよい。尚、図２５に示す更に他の変形例に係るコネクタ４の説明においては、前述の実施形態と同様に構成される要素については、同一の符号を引用することで、詳細な説明を省略する。
【０１０５】
図２５は、更に他の変形例に係るコネクタ４の断面図である。図２５に示すコネクタ４は、前述の実施形態と同様に構成される電線１００と基板１０１とを接続するコネクタとして構成されている。尚、図２５においては、電線１００及び基板１０１の図示は省略されている。
【０１０６】
コネクタ４は、金属製の第１コンタクト４１と、金属製の第２コンタクト４２と、を備えて構成されている。第１コンタクト４１は、電線１００に接続される。第２コンタクト４２は、基板１０１の表面１０１ａに実装されて基板１０１に接続されるとともに、第１コンタクト４１に接続される。
【０１０７】
電線１００に接続された第１コンタクト４１と、基板１０１に接続された第２コンタクト４２とが、互いに接続されることで、電線１００と基板１０１とが電気的に接続される。また、コネクタ４は、第１コンタクト４１及び第２コンタクト４２のうちの一方のコンタクトである第１コンタクト４１が、第１コンタクト４１及び第２コンタクト４２のうちの他方のコンタクトである第２コンタクト４２に嵌まり込んで嵌合することで、第１コンタクト４１と第２コンタクト４２とが電気的に接続される。尚、以下の説明においては、第１コンタクト４１を一方のコンタクト４１とも称し、第２コンタクト４２を他方のコンタクト４２とも称する。
【０１０８】
コネクタ４の第１コンタクト４１及び第２コンタクト４２には、係合機構４３が設けられている。係合機構４３は、一方のコンタクト４１が他方のコンタクト４２に嵌まり込んで嵌合した際に、第１コンタクト４１と第２コンタクト４２とを互いに係合させる機構として設けられている。
【０１０９】
係合機構４３は、第４係合部４４と第５係合部４５とを備えて構成されている。第４係合部４４は、他方のコンタクト４２（第２コンタクト４２）に設けられている。尚、第４係合部４４は、他方のコンタクト４２の本体部４２ａに設けられている。本体部４２ａは、他方のコンタクト４２において、一方のコンタクト４１が嵌め込まれる部分として設けられている。本体部４２ａは、２面が開口した状態の略箱状の構造を有する部分として設けられている。
【０１１０】
また、第４係合部４４は、他方のコンタクト４２の壁部から内側に向かって出っ張るように設けられている。より具体的には、第４係合部４４は、他方のコンタクト４２の壁部において、片持ち状に延びるように設けられ、片持ち状に延びる先端側の部分が、他方のコンタクト４２に対して、徐々に内側に向かって延びるように、設けられている。
【０１１１】
第５係合部４５は、一方のコンタクト４１（第１コンタクト４１）に設けられ、一方のコンタクト４１において第４係合部４４が係合する部分として設けられている。尚、第５係合部４５は、一方のコンタクト４１の本体部４１ａに設けられている。本体部４１ａは、一方のコンタクト４１において、他方のコンタクト４２に嵌め込まれる部分として設けられている。本体部４１ａは、略筒状の構造を有する部分として設けられている。尚、図２５においては、第１コンタクト４１の本体部４１ａの内側に表れる要素の図示は省略されている。
【０１１２】
また、第５係合部４５は、一方のコンタクト４１の壁部の一部であって第４係合部４４が係合する貫通孔４６が形成された部分として設けられている。一方のコンタクト４１が他方のコンタクト４２に嵌まり込んで嵌合したときには、一方のコンタクト４１の本体部４１ａにおいて片持ち状に延びる第４係合部４４の先端側の部分が、他方のコンタクト４２の本体部４２ａの壁部に設けられた貫通孔４６の縁部分に対して係合する。尚、一方のコンタクト４１の本体部４１ａは、他方のコンタクト４２の本体部４２ａの内側に嵌め込まれ、第４係合部４４は、第５係合部４５における貫通孔４６の縁部分に対して、本体部４１ａの外側から係合する。
【０１１３】
コネクタ４は、上述のように、一方のコンタクト４１の本体部４１ａが、他方のコンタクト４２の本体部４２ａの内側に嵌まり込んで嵌合するように構成されている。また、コネクタ４は、第１コンタクト４１に接続された状態の電線１００が第１コンタクト４１から延びる方向である電線延長方向に対して垂直な方向と平行な方向に沿って、一方のコンタクト４１（第１コンタクト４１）が他方のコンタクト４２（第２コンタクト４２）に嵌まり込んで嵌合するように構成されている。更に、コネクタ４は、上記の電線延長方向に対して垂直な方向と平行な方向であって基板１０１の表面１０１ａに対して垂直な方向に沿って、一方のコンタクト４１が他方のコンタクト４２に対して嵌まり込んで嵌合するように構成されている。
【０１１４】
また、コネクタ４は、上述のように、一方のコンタクト４１が他方のコンタクト４２に対して嵌まり込んで嵌合することで、第４係合部４４が第５係合部４５に係合し、第１コンタクト４１と第２コンタクト４２とが結合されるように構成されている。即ち、コネクタ４は、一方のコンタクト４１が他方のコンタクト４２に対して嵌まり込んで嵌合することで、係合機構４３により、第１コンタクト４１と第２コンタクト４２とが結合されるように構成されている。
【０１１５】
上述した変形例に係るコネクタ４によっても、コネクタ１と同様の効果を奏することができる。即ち、コネクタ４が用いられる電線１００或いは基板１０１の条件によって金属製のコンタクト（４１、４２）同士の嵌合作業が難しくなってしまうことを抑制でき、接続作業の作業性が低下してしまうことを抑制することができるコネクタ４を提供することができる。
【産業上の利用可能性】
【０１１６】
本発明は、基板と電線とを電気的に接続するコネクタとして、広く適用することができるものである。
【符号の説明】
【０１１７】
１              コネクタ
１１            第１コンタクト
１２            第２コンタクト
１３            係合機構
１００          電線
１０１          基板
【図１】
2016143569.tif 000003
【図２】
2016143569.tif 000004
【図３】
2016143569.tif 000005
【図４】
2016143569.tif 000006
【図５】
2016143569.tif 000007
【図６】
2016143569.tif 000008
【図７】
2016143569.tif 000009
【図８】
2016143569.tif 000010
【図９】
2016143569.tif 000011
【図１０】
2016143569.tif 000012
【図１１】
2016143569.tif 000013
【図１２】
2016143569.tif 000014
【図１３】
2016143569.tif 000015
【図１４】
2016143569.tif 000016
【図１５】
2016143569.tif 000017
【図１６】
2016143569.tif 000018
【図１７】
2016143569.tif 000019
【図１８】
2016143569.tif 000020
【図１９】
2016143569.tif 000021
【図２０】
2016143569.tif 000022
【図２１】
2016143569.tif 000023
【図２２】
2016143569.tif 000024
【図２３】
2016143569.tif 000025
【図２４】
2016143569.tif 000026
【図２５】
2016143569.tif 000027